(57)【特許請求の範囲】
【請求項１】
二枚のシート基材を重ね合わせるとともに、両シート基材間の複数箇所を一体に接合して、接合部によって囲まれる部分に形成される複数の区画室を具え、前記二枚のシート基材のうち少なくとも何れか一方のシート基材が通気性を有し、且つ前記二枚のシート基材のうち少なくとも何れか一方のシート基材が透光性を有する積層シートと、該積層シートの前記区画室内に所定の割合で収容される消臭剤および除湿剤とからなり、ハンガーに対して垂下状態で取り付けられた際に、前記積層シートの前記接合部がハンガーの肩部に一致するように配置される消臭除湿具であって、
前記ハンガーの前記肩部に一致するように配置される前記接合部に隣接した前記区画室を、前記消臭剤および前記除湿剤が収容されない空き空間で構成したことを特徴とする消臭除湿具。
【請求項２】
前記ハンガーのフック部を挿通させるための開放部が設けられている請求項１に記載の消臭除湿具。
【請求項３】
前記区画室内に収容される前記消臭剤および前記除湿剤が粒状物の集合であり、各粒状物とこれに隣接する他の粒状物とが通気可能な間隙を確保する形状を呈している請求項１または２に記載の消臭除湿具。
【請求項４】
前記消臭剤が臭いを吸収する酸化亜鉛と光により臭いを分解する酸化チタンとからなり、前記除湿剤が水分を吸収するシリカゲルからなる請求項１〜３の何れか１項に記載の消臭除湿具。
【請求項５】
少なくとも何れか一つの区画室の表面にその区画室の湿度に応じて色を変化させるインジケータが設けられている請求項１〜４の何れか１項に記載の消臭除湿具。
【請求項６】
前記ハンガーに掛けて吊るした衣類によって被覆される請求項１〜５の何れか１項に記載の消臭除湿具。
【請求項７】
前記ハンガーに衣類を掛けて吊るした際に、衣類の内側脇部に入り込むように形成されている請求項６に記載の消臭除湿具。
【請求項８】
前記ハンガーに掛けて吊るした衣類を被覆する請求項１〜７の何れか１項に記載の消臭除湿具。
【発明の詳細な説明】
【０００１】
【発明の属する技術分野】
本発明は消臭除湿具に関し、特に、衣類の消臭・除湿用として有効な消臭除湿具に関する。
【０００２】
【従来技術およびその問題点】
従来から、日常生活で使用される衣類においては、人体から放出された汗等に含まれる臭いが染み込んだり、また汗等の水分を吸収したりするため、初期の快適さを失ってしまうことが一般によく知られている。
【０００３】
そこで、脱臭効果を有するシート基材に孔を設け、使用時にはこの孔にハンガーのフック部を通し、ハンガーに掛けて吊るされた衣類に覆い被せて、衣類に染み込んだ臭いを除去するようにした衣類脱臭器具が提案されている（実公平３−３３３７号公報）。
【０００４】
しかしながら、この従来の衣類脱臭器具にあっては、単に脱臭（消臭）効果を得ることのみを目的としているものであり、除湿効果を得ることなど全く問題視していない。しかも、この衣類脱臭器具はハンガーに掛けて吊るされた衣類に覆い被せるように取り付けられるものであり、衣類をハンガーに吊したり、衣類の使用に際してハンガーに吊るされた衣類を取り外したりする度に、この衣類脱臭器具を取り外さなければならず、非常に面倒である。
【０００５】
また近年においては、活性炭、有機酸および／またはアミン化合物が添着されたシート基材の表面および／または裏面に通気性の良い布または不織布を積層させた複合シートを、ハンガーを被覆する形状とした態様の脱臭性ハンガーカバーや、活性炭、有機酸および／またはアミン化合物が添着されたシート基材の表面および／または裏面に通気性の良い布または不織布を積層させた複合シートを、ハンガーの表面に接着し、ハンガーを被覆した態様の脱臭性ハンガー等が提案されている（実開平４−８６４７８号公報）。
【０００６】
しかしながら、このような脱臭性ハンガーカバーや脱臭性ハンガーにあっては、前述した衣類脱臭器具と同様に、単に脱臭（消臭）効果を得ることのみを目的としているものであり、除湿効果を得ることなど全く問題視していない。しかも、これらの脱臭性ハンガーカバーや脱臭性ハンガーは、活性炭、有機酸および／またはアミン化合物をシート基材に対して直接添着させているものであり、シート基材に対して添着させた活性炭、有機酸および／またはアミン化合物が比較的簡単に剥れ落ちてしまい、使用することによって消臭機能が大幅に低下し、目的の消臭効果を得ることができない。
【０００７】
このように従来においては衣類の消臭・除湿用として有効な消臭除湿具は提案されておらず、需要者からは衣類の消臭・除湿用として有効な消臭除湿具の開発が切望されている。
【０００８】
本発明は前述した従来の問題点に着目し、これを解決しようとしたものであり、その目的は、衣類の消臭・除湿用として有効な消臭除湿具を提供することにある。
【０００９】
【問題点を解決するための手段】
上記の問題点を解決するために、本発明の消臭除湿具は、二枚のシート基材を重ね合わせるとともに、両シート基材間の複数箇所を一体に接合して、接合部によって囲まれる部分に形成される複数の区画室を具え、前記二枚のシート基材のうち少なくとも何れか一方のシート基材が通気性を有し、且つ前記二枚のシート基材のうち少なくとも何れか一方のシート基材が透光性を有する積層シートと、該積層シートの前記区画室内に所定の割合で収容される消臭剤および除湿剤とからなり、ハンガーに対して垂下状態で取り付けられた際に、前記積層シートの前記接合部がハンガーの肩部に一致するように配置される消臭除湿具であって、前記ハンガーの前記肩部に一致するように配置される前記接合部に隣接した前記区画室を、前記消臭剤および前記除湿剤が収容されない空き空間で構成したことを特徴とする。
【００１１】
そして、前述した消臭除湿具にあっては、ハンガーのフック部を挿通させるための開放部が設けられている態様のもの等を採用する。
【００１２】
また、前述した消臭除湿具にあっては、区画室内に収容される消臭剤および除湿剤が粒状物の集合であり、各粒状物とこれに隣接する他の粒状物とが通気可能な間隙を確保する形状を呈している態様のもの等を採用する。
【００１３】
さらに、前述した消臭除湿具にあっては、前記消臭剤が臭いを吸収する酸化亜鉛と光により臭いを分解する酸化チタンとからなる態様のもの等を採用することができ、前記除湿剤が水分を吸収するシリカゲルからなる態様のもの等を採用することができる。
【００１４】
さらにまた、前述した消臭除湿具にあっては、少なくとも何れか一つの区画室の表面にその区画室の湿度に応じて色を変化させるインジケータが設けられている態様のもの等を採用する。
【００１５】
そしてまた、前述した消臭除湿具にあっては、ハンガーに掛けて吊るした衣類によって被覆される態様のもの等を採用したり、さらにハンガーに衣類を掛けて吊るした際に、衣類の内側脇部に入り込むように形成されている態様のもの等を採用する。
【００１６】
そしてさらに、前述した消臭除湿具にあっては、ハンガーに掛けて吊るした衣類を被覆する態様のもの等を採用する。
【００１７】
【作用】
本発明の消臭除湿具は、ハンガーに対して垂下状態に取り付けられ、ハンガーに掛けて吊るした衣類によって被覆されるようにしたり、ハンガーに掛けて吊るした衣類を被覆するようにしたりすると、人体から衣類に吸収された汗等の水分を区画室内の除湿剤が吸収するとともに、衣類に染み込んだ汗等の水分に含まれる臭いを区画室内の消臭剤が吸収することになる。そして、水分、臭いを吸収した消臭除湿具を天日に晒すと、除湿剤に吸収された水分が蒸発して除湿剤が初期の乾燥状態に戻るとともに、消臭剤に吸収された臭いが太陽光を媒体として分解されて除去されることになる。
【００１８】
前述した消臭除湿具にあっては、ハンガーに対して垂下状態に取り付けられた際に、積層シートにおいてハンガーの肩部に一致するように配置されている接合部によってその垂下状態の安定性が得られることになる。
【００１９】
そして、前述した消臭除湿具にあっては、ハンガーのフック部を挿通させるために設けられている開放部により、当該消臭除湿具のハンガーへの取り付け作業を比較的簡単に行うことができる。
【００２０】
また、前述した消臭除湿具にあっては、区画室内に収容される消臭剤および除湿剤が粒状物の集合であり、各粒状物と隣接する他の粒状物とが通気可能な間隙を確保する形状を呈しているので、消臭剤および除湿剤において通気に触れる広範な表面積が得られることになる。
【００２１】
さらに、前述した消臭除湿具にあっては、前記消臭剤として酸化亜鉛および酸化チタンを採用することで、酸化亜鉛が臭いを吸収するとともに、酸化チタンが光により臭いを分解する。同時に前記除湿剤として採用されるシリカゲルが水分を吸収する。
【００２２】
さらにまた、前述した消臭除湿具にあっては、少なくとも何れか一つの区画室の表面に設けられているインジケータが、その区画室の湿度に応じて色を変化させる。
【００２３】
そしてまた、当該消臭除湿具がハンガーに掛けて吊るした衣類によって被覆されることで衣類の内側から消臭機能および除湿機能が発揮される。特に、ハンガーに衣類を掛けて吊るした際に、衣類の内側脇部に入り込むように形成されていることで、衣類の内側脇部に対する消臭機能および除湿機能が効率よく発揮される。
【００２４】
そしてさらに、当該消臭除湿具がハンガーに掛けて吊るした衣類を被覆することで、衣類の外側から消臭機能および除湿機能が発揮される。
【００２５】
【発明の実施の形態】
以下、本発明の実施形態を添付図面に基づいて説明する。ここで、図１〜図５には本発明の第１実施形態が示されており、図６〜図１３には本発明の第２実施形態が示されている。
【００２６】
先ず、本発明の第１実施形態について図１〜図５を参照しながら説明する。ここで、図１は本発明の実施形態を示す正面図であり、図２は図１の平面図であり、図３は図１の右側面図であり、図４は図１のＡ−Ａ線に沿う消臭除湿具の断面図であり、図５は図１のＢ−Ｂ線に沿う消臭除湿具の断面図である。なお、図１の左側面図は右側面図（図３）と略左右対称に現れ、図１の背面図は正面図（図１）と略左右対称に現れるので、ここでは省略する。
【００２７】
図１〜図５に示される第１実施形態の消臭除湿具１０は、二枚のシート基材１１ａ，１１ａを重ね合わせるとともに、両シート基材１１ａ，１１ａ間の複数箇所を一体に接合して、接合部１２によって囲まれる部分に形成される少なくとも一つの区画室１３を具え、前記二枚のシート基材１１ａ，１１ａのうち少なくとも何れか一方のシート基材が通気性を有し、且つ前記二枚のシート基材１１ａ，１１ａのうち少なくとも何れか一方のシート基材が透光性を有する積層シート１１と、該積層シート１１の一または複数の区画室１３内に所定の割合で収容される消臭剤１４および除湿剤１５とからなり、ハンガー９に対して垂下状態に取り付けられるようにしたものである。
【００２８】
この第１実施形態の消臭除湿具１０は、ハンガー９に掛けて吊るした衣類によって被覆される態様のものとしたり、ハンガー９に掛けて吊るした衣類を被覆する態様のものとしたりすることができる。特に、ハンガー９に衣類を掛けて吊るした際に、衣類の内側脇部に入り込むように形成されている後述する他の実施形態（図６〜図１３参照）のような態様のものとしてもよい。
【００２９】
ここで、第１実施形態の積層シート１１は、ハンガー９の少なくとも前後に垂下されるように、ハンガー９の前方に垂下される部分の積層シート１１と、ハンガー９の後方に垂下される部分の積層シート１１とが、継目部１２ａを介して継ぎ合わせられている。つまり、継目部１２ａは、ハンガー９に取り付けられた際に最上部分の接合部１２に相当するものであり、この接合部１２がハンガー９の肩部９ａに一致するように配置されている。このように、当該第１実施形態の消臭除湿具１０は、ハンガー９に対して垂下状態に取り付けられた際に、積層シート１１においてハンガー９の肩部９ａに一致するように配置されている接合部１２（継目部１２ａ）によってその垂下状態の安定性が得られるようになっている。したがって、ハンガー９に対して消臭除湿具１０を安定した垂下状態に確実に取り付けることができ、ハンガー９に取り付けられた消臭除湿具１０がハンガー９からズレ落ちてしまうといった心配がない。
【００３０】
この第１実施形態の消臭除湿具１０にあっては、ハンガー９のフック部９ｂを挿通させるための開放部１６が設けられている。このように、ハンガー９のフック部９ｂを挿通させるために設けられている開放部１６により、当該消臭除湿具１０のハンガー９への取り付け作業を比較的簡単に行うことができることになる。したがって、ハンガー９に対して消臭除湿具１０を取り付けるにあたって極めて便利である。
【００３１】
また、第１実施形態にあっては、ハンガー９の前方に垂下される部分の積層シート１１と、ハンガー９の後方に垂下される部分の積層シート１１とについては、互いにバランスが保たれるように、同一形状の態様のものを採用し、前後の各重量が概ね等しくなるように構成されている。
【００３２】
なお、継目部１２ａは、前述したようにハンガー９の前方に垂下される部分の積層シート１１とハンガー９の後方に垂下される部分の積層シート１１とを継ぎ合わせたものであり、ハンガー９の肩部９ａの傾斜角に略対応するように傾斜状に継ぎ合わせられている。このように、当該第１実施形態の消臭除湿具１０をハンガー９に取り付けると、継目部１２ａがハンガー９の肩部９ａに合致するので、安定した取り付け状態をきわめて簡単に維持することができる。
【００３３】
第１実施形態の積層シート１１において用いるシート基材１１ａ，１１ａにあっては、少なくとも何れか一方のシート基材が通気性を有し、且つ少なくとも何れか一方のシート基材が透光性を有している。通気性を有するシート基材の材質としては紙、ＰＥ、ＰＰ、ＰＥＴ等が掲げられ、これらの材質からなる織布や、不織布や、網状物や、通気孔を設けたフィルム（微多孔フィルムを含む）や、通気孔を設けたシートといった成形物の態様のもの等が通気性を有するシート基材として採用される。通気性を有するより具体的なシート基材としては、ＰＥＴ、ＮＹ、ＰＰ等を芯材とし、その外側をＰＰ、ＰＥ等で被覆してなる芯鞘繊維により構成された、織布や、不織布や、網状物といった態様のものが掲げられる。また、透光性を有するシート基材の材質としてはＰＥ、ＰＰ、ＰＥＴ等が掲げられ、これらの材質からなる織布や、不織布や、網状物や、フィルムや、シートといった成形物の態様のもの等が透光性を有するシート基材として採用されるほか、ガラスからなる態様のものを採用してもよい。透光性を有するより具体的なシート基材としては、ＰＥＴ、ＮＹ、ＰＰ等を芯材とし、その外側をＰＰ、ＰＥ等で被覆してなる芯鞘繊維により構成された、織布や、不織布や、網状物といった態様のものが掲げられる。これらのうち、ＰＥ、ＰＰ、ＰＥＴ等の材質からなり、ＰＥＴ、ＮＹ、ＰＰ等を芯材とし、その外側をＰＰ、ＰＥ等で被覆してなる芯鞘繊維により構成された、織布や、不織布や、網状物は、通気性且つ透光性を有するのでシート基材として好ましい。特に、使用時のこすれに対する強さ、熱加工のしやすさ、強度等の点で、ＰＥＴを芯材とし、その外側をＰＥで被覆してなる芯鞘繊維により構成された不織布をシート基材として採用することが好ましい。不織布の目付は強度、通気性、透光性の点から決めることができるが、２０ｇ／ｍ２〜１５０ｇ／ｍ２が好ましい。また、各シート基材１１ａ，１１ａは用途に応じた形状、大きさにすることができる。
【００３４】
この第１実施形態における二枚のシート基材１１ａ，１１ａは、熱融着等によって周縁部間が一体に接合されて袋状に形成されるとともに、二枚のシート基材１１ａ，１１ａ間が熱融着等によって格子状に一体に接合され、接合部１２によって囲まれる二枚のシート基材１１ａ，１１ａ間に四角形状や三角形状の複数の区画室１３が形成されるようになっている。
【００３５】
第１実施形態にあっては、ハンガー９の少なくとも前後に垂下状態で取り付けられる各積層シート１１は、前述したように、二枚のシート基材１１ａ，１１ａを重ね合わせるとともに、両シート基材１１ａ，１１ａ間の複数箇所を一体に接合して、接合部１２によって囲まれる部分に形成される複数の区画室１３を具え、前記二枚のシート基材１１ａ，１１ａのうち少なくとも何れか一方のシート基材が通気性を有し、且つ前記二枚のシート基材１１ａ，１１ａのうち少なくとも何れか一方のシート基材が透光性を有しているものである。この積層シート１１の少なくとも一つの区画室１３内には消臭剤１４および除湿剤１５が所定の割合で収容されるようになっている。
【００３６】
なお、第１実施形態にあっては、ハンガー９の前方に垂下される部分の積層シート１１と、ハンガー９の後方に垂下される部分の積層シート１１との何れにおいても、最上段の区画室１３は、消臭剤１４および除湿剤１５を収容しておらず、空の状態である。このように、最上段の区画室１３に消臭剤１４および除湿剤１５を収容していないのは、当該第１実施形態の消臭除湿具１０をハンガー９に取り付けた際に、ハンガー９の肩部９ａにおいて無用に嵩張ってしまい、当該第１実施形態の消臭除湿具１０を取り付けたハンガー９に衣類を掛けて吊るしたときに型崩れ等の不都合が生じるのを防止するためである。
【００３７】
第１実施形態にあっては、区画室１３内に収容される消臭剤１４および除湿剤１５は、粒状物の集合であり、各粒状物とこれに隣接する他の粒状物とが通気可能な間隙を確保する形状を呈している。具体的には比較的大径の球形状（図４および図５参照）や、隣接する他の粒状物と接触しても間隙が確保されるような多角形状等といった形状を呈しているものである。このように、第１実施形態にあっては、区画室１３内に収容される消臭剤１４および除湿剤１５が粒状物の集合であり、各粒状物とこれに隣接する他の粒状物とが通気可能な間隙を確保する形状を呈しているので、消臭剤１４および除湿剤１５の通気に触れる表面積が広くなっている。したがって、消臭機能並びに除湿機能の発揮に最適である。
【００３８】
また、この第１実施形態の消臭除湿具１０にあっては、前記消臭剤１４としては臭いを吸収する酸化亜鉛と光により臭いを分解する酸化チタン（光触媒）とからなる態様のものを採用し、前記除湿剤１５としては水分を吸収するシリカゲルからなる態様のものを採用している。このように、消臭剤１４として酸化亜鉛および酸化チタン（光触媒）を採用することで、酸化亜鉛が臭いを吸収するとともに、酸化チタン（光触媒）が光により臭いを分解するようになっている。したがって、良好な消臭効果を得ることができる。同時に除湿剤１５としてシリカゲルを採用することで、シリカゲルが水分を吸収するようになっている。したがって、良好な除湿効果を得ることができる。
【００３９】
なお、第１実施形態における消臭剤１４と除湿剤１５との組み合わせは、前述した組み合わせに限定することなく、同様の性質を有するものであれば、他の組み合わせであってもよい。また、第１実施形態における消臭剤１４と除湿剤１５との割合は、コストや消臭効果や除湿効果の点から１：１〜１：１０００の範囲になるように区画室１３に収容される。
【００４０】
第１実施形態において積層シート１１の区画室１３に消臭剤１４および除湿剤１５を収容するにあたっては、消臭剤１４および除湿剤１５を収容した区画室１３内にある程度の余裕空間を確保するようにすれば、良好な通気性を得ることができ、消臭機能および除湿機能を発揮する上で望ましい。例えば、消臭剤や除湿剤は、ある程度の重量をもたせるようにすれば、垂下状態の安定性を向上させることができるとともに、区画室１３内において消臭剤１４および除湿剤１５が下方に溜まりその上方に空間が確保されて通気性が良好となり、消臭効果および除湿効果の大幅な向上を期待することができる。
【００４１】
第１実施形態では、ハンガー９の前方に垂下される部分の積層シート１１と、ハンガー９の後方に垂下される部分の積層シート１１とが、ハンガー９の肩部９ａに一致するように配設される接合部１２の継目部１２ａにおいて継ぎ合わせた態様としたが、これとともに左右を継ぎ合わせた態様としてもよい。この場合には、全体をやや大きめに形成することにより、大きさの異なる種々のハンガー９においても使用することができる。
【００４２】
さらにまた、この第１実施形態の消臭除湿具１０にあっては、少なくとも何れか一つの区画室１３においてその表面の一部に、区画室１３の湿度に応じて色を変化させるインジケータ１７が設けられている。このように、少なくとも何れか一つの区画室１３においてその表面の一部に設けられているインジケータ１７が、区画室１３の湿度に応じて色を変化させるようになっている。したがって、インジケータ１７の色を監視することにより、区画室１３内のシリカゲルの吸水状態を把握することが可能であり、消臭効果および除湿効果といった一定の効果が常に得られるように維持し、管理することができる。
【００４３】
以上説明した第１実施形態の消臭除湿具１０は、ハンガー９に対して垂下状態に取り付けられ、ハンガー９に掛けて吊るした衣類によって被覆されるようにしたり、ハンガー９に掛けて吊るした衣類を被覆するようにしたりすると、人体から衣類に吸収された汗等の水分を区画室１３内の除湿剤１５が吸収して除湿機能を発揮し、衣類に染み込んだ汗等の水分に含まれる臭いを区画室１３内の消臭剤１４が吸収して消臭機能を発揮するので、目的の消臭効果および除湿効果を得ることができ、衣類の消臭・除湿用として有効である。また、水分、臭いを吸収した消臭除湿具１０は、天日に晒すことで、除湿剤１５に吸収された水分が蒸発して除湿剤１５は初期の乾燥状態に戻るとともに、消臭剤１４に吸収された臭いが酸化チタンにより太陽光を媒体として分解されて除去されるので、再び繰り返して使用することができる。
【００４４】
前述したように、この第１実施形態の消臭除湿具１０をハンガー９に垂下状態に取り付け、ハンガー９に掛けて吊るした衣類によって被覆されるようにしたり、ハンガー９に掛けて吊るした衣類を被覆するようにしたりすると、消臭機能が発揮され、人体から放出した汗等の水分は衣類を通して消臭除湿具１０の区画室１３内のシリカゲルに吸収されることになる。また、除湿機能が発揮され、汗等に含まれる臭いは衣類を通して消臭除湿具１０の区画室１３内の酸化亜鉛に吸収されることになる。したがって、衣類において汗等の水分や汗等に含まれる臭いが吸収されたままの状態となるようなことはなく、衣類を乾燥した臭いの染み込んでいない初期の状態に保つことができる。
【００４５】
そして、第１実施形態にあっては、消臭除湿具１０の区画室１３内においてシリカゲルによる吸水が飽和状態になると、区画室１３の表面に設けてあるインジケータ１７が色を変化させることになるので、この色の変化を監視することにより、シリカゲルの状態を管理することができる。当該第１実施形態の消臭除湿具１０の区画室１３内においてシリカゲルによる吸水が飽和状態になった場合には、消臭除湿具１０を天日に晒すと、シリカゲルに吸収された水分が蒸発してシリカゲルが初期の乾燥した状態に戻るとともに、酸化亜鉛が吸収した臭いは酸化チタン（光触媒）が太陽光を媒体とすることにより分解、除去される。
【００４６】
前述したように構成した第１実施形態の消臭除湿具１０にあっては、ハンガー９に対して垂下状態に取り付け、ハンガー９に掛けて吊るした衣類によって当該消臭除湿具１０が被覆されるようにしたり、ハンガー９に掛けて吊るした衣類を当該消臭除湿具１０によって被覆するようにしたりすると、衣類の湿気、臭いを完全に除去することができることになる。
【００４７】
また、当該第１実施形態の消臭除湿具１０を定期的に天日に晒すことにより、消臭除湿具１０を常に初期の機能を発揮する状態に維持することができるので、繰り返し使用が可能であり、衣類を適切な状態に保管することができる。
【００４８】
次に、本発明の第２実施形態について図６〜図１３を参照しながら説明する。ここで、図６は本発明の他の実施形態を示す正面図であり、図７は図６の平面図であり、図８は図６の右側面図であり、図９は図６の背面図であり、図１０は図６のＣ−Ｃ線に沿う消臭除湿具の断面図であり、図１１は図６のＤ−Ｄ線に沿う消臭除湿具の断面図であり、図１２は図６のＥ−Ｅ線に沿う消臭除湿具の断面図であり、図１３は図６の製造方法を示す消臭除湿具の展開図である。なお、図６の左側面図は右側面図（図８）と略左右対称に現れるので、ここでは省略する。また、第２実施形態の消臭除湿具１０にあっては、当該消臭除湿具１０をハンガー９に対して垂下状態に取り付けた際には積層シート１１がハンガー９の肩部９ａにおいて実際には撓んだ状態になるが、図中においては便宜上撓んでいない状態で示している。
【００４９】
図６〜図１３に示される第２実施形態の消臭除湿具１０は、二枚のシート基材１１ａ，１１ａを重ね合わせるとともに、両シート基材１１ａ，１１ａ間の複数箇所を一体に接合して、接合部１２によって囲まれる部分に形成される少なくとも一つの区画室１３を具え、前記二枚のシート基材１１ａ，１１ａのうち少なくとも何れか一方のシート基材が通気性を有し、且つ前記二枚のシート基材１１ａ，１１ａのうち少なくとも何れか一方のシート基材が透光性を有する積層シート１１と、該積層シート１１の一または複数の区画室１３内に所定の割合で収容される消臭剤１４および除湿剤１５とからなり、ハンガー９に対して垂下状態に取り付けられようにしたものであって、ハンガー９に衣類を掛けて吊るした際に、ハンガー９に掛けて吊るした衣類によって被覆され、衣類の内側脇部に入り込むように左右に袖部分を突出させてＴ字型に形成されている。
【００５０】
この第２実施形態の消臭除湿具１０においては、ハンガー９に衣類を掛けて吊るした際に、ハンガー９に掛けて吊るした衣類によって被覆され、Ｔ字型に形成されて左右に突出する袖部分が衣類の内側脇部に入り込むようになっている。したがって、第２実施形態の消臭除湿具１０によれば、ハンガーに衣類を掛けて吊るした際に、ハンガー９に掛けて吊るした衣類によって被覆され、Ｔ字型に形成されて左右に突出する袖部分が衣類の内側脇部に入り込み、衣類の内側脇部に対する消臭機能および除湿機能が効率よく発揮され、第１実施形態の消臭除湿具１０により得られる効果に加え、衣類の内側脇部においてきわめて良好な消臭・除湿の効果を得ることができる。
【００５１】
この第２実施形態における前述したＴ字型の消臭除湿具１０は、図１３に示されるように、上下が交互に反転した状態で左右方向に長尺状に連続した複数の消臭除湿具１０を切断線１８に沿って切断することで、個々の消臭除湿具１０に分離される。なお、個々の消臭除湿具１０に分離するに先立って、切開部１２ｂを設けるようにすれば開放部１６を比較的簡単に具えることができる。
【００５２】
この第２実施形態の消臭除湿具１０は、ハンガー９に衣類を掛けて吊るした際に、衣類の内側脇部に入り込むように袖部分が左右に突出するＴ字型に形成されており、前述したように、ハンガー９に掛けて吊るした衣類によって被覆される態様のものとして使用することが望ましい。なお、ハンガー９に掛けて吊るした衣類を被覆する態様のものとして使用してもよい。
【００５３】
ここで、第２実施形態の積層シート１１は、ハンガー９の少なくとも前後に垂下されるように、ハンガー９の前方に垂下される部分の積層シート１１と、ハンガー９の後方に垂下される部分の積層シート１１とが、第１実施形態のような継目部を介して継ぎ合わせられているものではなく、一枚の積層シート１１により一体に形成されている。なお、第１実施形態に倣って、ハンガー９の前方に垂下される部分の積層シート１１と、ハンガー９の後方に垂下される部分の積層シート１１とが、継目部を介して継ぎ合わせられている態様のものとしてもよい。
【００５４】
この第２実施形態の消臭除湿具１０にあっては、ハンガー９のフック部９ｂを挿通させるための開放部１６が切開部１２ｂによって設けられている。このように、ハンガー９のフック部９ｂを挿通させるために設けられている開放部１６により、当該消臭除湿具１０のハンガー９への取り付け作業を比較的簡単に行うことができることになる。したがって、ハンガー９に対して消臭除湿具１０を取り付けるにあたって極めて便利である。
【００５５】
また、第２実施形態にあっては、ハンガー９の前方に垂下される部分の積層シート１１と、ハンガー９の後方に垂下される部分の積層シート１１とについては、第１実施形態に倣って互いにバランスが保たれるように、それぞれ同一形状の態様のものを採用し、前後の各重量が概ね等しくなるように構成するようにしてもよい。
【００５６】
第２実施形態の積層シート１１において用いるシート基材１１ａ，１１ａにあっては、第１実施形態と同様に、少なくとも何れか一方のシート基材が通気性を有し、且つ少なくとも何れか一方のシート基材が透光性を有している。通気性を有するシート基材の材質としては紙、ＰＥ、ＰＰ、ＰＥＴ等が掲げられ、これらの材質からなる織布や、不織布や、網状物や、通気孔を設けたフィルム（微多孔フィルムを含む）や、通気孔を設けたシートといった成形物の態様のもの等が通気性を有するシート基材として採用される。通気性を有するより具体的なシート基材としては、ＰＥＴ、ＮＹ、ＰＰ等を芯材とし、その外側をＰＰ、ＰＥ等で被覆してなる芯鞘繊維により構成された、織布や、不織布や、網状物といった態様のものが掲げられる。また、透光性を有するシート基材の材質としてはＰＥ、ＰＰ、ＰＥＴ等が掲げられ、これらの材質からなる織布や、不織布や、網状物や、フィルムや、シートといった成形物の態様のもの等が透光性を有するシート基材として採用されるほか、ガラスからなる態様のものを採用してもよい。透光性を有するより具体的なシート基材としては、ＰＥＴ、ＮＹ、ＰＰ等を芯材とし、その外側をＰＰ、ＰＥ等で被覆してなる芯鞘繊維により構成された、織布や、不織布や、網状物といった態様のものが掲げられる。これらのうち、ＰＥ、ＰＰ、ＰＥＴ等の材質からなり、ＰＥＴ、ＮＹ、ＰＰ等を芯材とし、その外側をＰＰ、ＰＥ等で被覆してなる芯鞘繊維により構成された、織布や、不織布や、網状物は、通気性且つ透光性を有するのでシート基材として好ましい。特に、使用時のこすれに対する強さ、熱加工のしやすさ、強度等の点で、ＰＥＴを芯材とし、その外側をＰＥで被覆してなる芯鞘繊維により構成された不織布をシート基材として採用することが好ましい。不織布の目付は強度、通気性、透光性の点から決めることができるが、２０ｇ／ｍ２〜１５０ｇ／ｍ２が好ましい。また、各シート基材１１ａ，１１ａは用途に応じた形状、大きさにすることができる。
【００５７】
この第２実施形態における二枚のシート基材１１ａ，１１ａは、第１実施形態と同様に、熱融着等によって周縁部間が一体に接合されて袋状に形成されるとともに、二枚のシート基材１１ａ，１１ａ間が熱融着等によって格子状に一体に接合され、接合部１２によって囲まれる二枚のシート基材１１ａ，１１ａ間に四角形状の複数の区画室１３が形成されるようになっている。
【００５８】
第２実施形態にあっては、ハンガー９の少なくとも前後に垂下状態で取り付けられる各積層シート１１は、前述したように、二枚のシート基材１１ａ，１１ａを重ね合わせるとともに、両シート基材１１ａ，１１ａ間の複数箇所を一体に接合して、接合部１２によって囲まれる部分に形成される複数の区画室１３を具え、前記二枚のシート基材１１ａ，１１ａのうち少なくとも何れか一方のシート基材が通気性を有し、且つ前記二枚のシート基材１１ａ，１１ａのうち少なくとも何れか一方のシート基材が透光性を有しているものである。この第２実施形態における積層シート１１の少なくとも一つの区画室１３内には、第１実施形態と同様に、消臭剤１４および除湿剤１５が所定の割合で収容されるようになっている。
【００５９】
なお、第２実施形態にあっては、ハンガー９の前方に垂下される部分の積層シート１１と、ハンガー９の後方に垂下される部分の積層シート１１との何れにおいても、最上段から最下段の各区画室１３は、消臭剤１４および除湿剤１５を収容している。当該第２実施形態の消臭除湿具１０をハンガー９に取り付けた際に、ハンガー９の肩部９ａにおいて無用に嵩張ってしまう場合には、第１実施形態に倣い、最上段の区画室１３には消臭剤１４および除湿剤１５を収容しないで、当該第２実施形態の消臭除湿具１０を取り付けたハンガー９に衣類を掛けて吊るしたときに型崩れ等の不都合が生じるのを防止するようにしてもよい。
【００６０】
第２実施形態にあっては、区画室１３内に収容される消臭剤１４および除湿剤１５は、第１実施形態と同様に、粒状物の集合であり、各粒状物とこれに隣接する他の粒状物とが通気可能な間隙を確保する形状を呈している。具体的には比較的大径の球形状（図１０〜図１２参照）や、隣接する他の粒状物と接触しても間隙が確保されるような多角形状等といった形状を呈しているものである。このように、第２実施形態にあっては、第１実施形態と同様に、区画室１３内に収容される消臭剤１４および除湿剤１５が粒状物の集合であり、各粒状物とこれに隣接する他の粒状物とが通気可能な間隙を確保する形状を呈しているので、消臭剤１４および除湿剤１５の通気に触れる表面積が広くなっている。したがって、消臭機能並びに除湿機能の発揮に最適である。
【００６１】
また、この第２実施形態の消臭除湿具１０にあっては、前記消臭剤１４としては臭いを吸収する酸化亜鉛と光により臭いを分解する酸化チタン（光触媒）とからなる態様のものを採用し、前記除湿剤１５としては水分を吸収するシリカゲルからなる態様のものを採用している。このように、消臭剤１４として酸化亜鉛および酸化チタン（光触媒）を採用することで、酸化亜鉛が臭いを吸収するとともに、酸化チタン（光触媒）が光により臭いを分解するようになっている。したがって、良好な消臭効果を得ることができる。同時に除湿剤１５としてシリカゲルを採用することで、シリカゲルが水分を吸収するようになっている。したがって、良好な除湿効果を得ることができる。
【００６２】
なお、第２実施形態における消臭剤１４と除湿剤１５との組み合わせは、第１実施形態と同様に、前述した組み合わせに限定することなく、同様の性質を有するものであれば、他の組み合わせであってもよい。また、第２実施形態における消臭剤１４と除湿剤１５との割合は、第１実施形態と同様に、コストや消臭効果や除湿効果の点から１：１〜１：１０００の範囲になるように区画室１３に収容される。
【００６３】
第２実施形態において積層シート１１の区画室１３に消臭剤１４および除湿剤１５を収容するにあたっては、第１実施形態と同様に、消臭剤１４および除湿剤１５を収容した区画室１３内にある程度の余裕空間を確保するようにすれば、良好な通気性を得ることができ、消臭機能および除湿機能を発揮する上で望ましい。例えば、消臭剤や除湿剤は、ある程度の重量をもたせるようにすれば、垂下状態の安定性を向上させることができるとともに、区画室１３内において消臭剤１４および除湿剤１５が下方に溜まりその上方に空間が確保されて通気性が良好となり、消臭効果および除湿効果の大幅な向上を期待することができる。
【００６４】
第２実施形態では、ハンガー９の前方に垂下される部分の積層シート１１と、ハンガー９の後方に垂下される部分の積層シート１１とが、一枚の積層シート１１により一体に形成されている態様のものとしたが、前後の各重量が概ね等しくなるようにそれぞれ同一形状の態様のものを採用したり、これとともに左右を継ぎ合わせた態様としてもよい。この場合には、全体をやや大きめに形成することにより、大きさの異なる種々のハンガー９においても使用することができる。
【００６５】
さらにまた、この第２実施形態の消臭除湿具１０にあっては、第１実施形態と同様に、少なくとも何れか一つの区画室１３においてその表面の一部に、区画室１３の湿度に応じて色を変化させるインジケータ１７が設けられている。このように、少なくとも何れか一つの区画室１３においてその表面の一部に設けられているインジケータ１７が、区画室１３の湿度に応じて色を変化させるようになっている。したがって、インジケータ１７の色を監視することにより、区画室１３内のシリカゲルの吸水状態を把握することが可能であり、消臭効果および除湿効果といった一定の効果を常に得られるように維持し、管理することができる。
【００６６】
以上説明した第２実施形態の消臭除湿具１０は、ハンガー９に対して垂下状態に取り付けられ、ハンガー９に掛けて吊るした衣類によって被覆されるようにしたり、ハンガー９に掛けて吊るした衣類を被覆するようにしたりすると、人体から衣類に吸収された汗等の水分を区画室１３内の除湿剤１５が吸収して除湿機能を発揮し、衣類に染み込んだ汗等の水分に含まれる臭いを区画室１３内の消臭剤１４が吸収して消臭機能を発揮するので、目的の消臭効果および除湿効果を得ることができ、衣類の消臭・除湿用として有効である。また、水分、臭いを吸収した消臭除湿具１０は、天日に晒すことで、除湿剤１５に吸収された水分が蒸発して除湿剤１５は初期の乾燥状態に戻るとともに、消臭剤１４に吸収された臭いが酸化チタンにより太陽光を媒体として分解されて除去されるので、再び繰り返して使用することができる。
【００６７】
前述したように、この第２実施形態の消臭除湿具１０をハンガー９に垂下状態に取り付け、ハンガー９に掛けて吊るした衣類によって当該消臭除湿具１０が被覆されるようにしたり、ハンガー９に掛けて吊るした衣類を当該消臭除湿具１０によって被覆するようにすると、消臭機能が発揮され、人体から放出した汗等の水分は衣類を通して消臭除湿具１０の区画室１３内のシリカゲルに吸収されることになる。また、除湿機能が発揮され、汗等に含まれる臭いは衣類を通して消臭除湿具１０の区画室１３内の酸化亜鉛に吸収されることになる。したがって、衣類において汗等の水分や汗等に含まれる臭いが吸収されたままの状態となるようなことはなく、衣類を乾燥した臭いの染み込んでいない初期の状態に保つことができる。
【００６８】
そして、第２実施形態にあっては、第１実施形態と同様に、消臭除湿具１０の区画室１３内においてシリカゲルによる吸水が飽和状態になると、区画室１３の表面に設けてあるインジケータ１７が色を変化させることになるので、この色の変化を監視することにより、シリカゲルの状態を管理することができる。当該第２実施形態の消臭除湿具１０の区画室１３内においてシリカゲルによる吸水が飽和状態になった場合には、消臭除湿具１０を天日に晒すと、シリカゲルに吸収された水分が蒸発してシリカゲルが初期の乾燥した状態に戻るとともに、酸化亜鉛が吸収した臭いは酸化チタン（光触媒）が太陽光を媒体とすることにより分解、除去される。
【００６９】
前述したように構成した第２実施形態の消臭除湿具１０にあっては、ハンガー９に対して垂下状態に取り付け、ハンガー９に掛けて吊るした衣類によって当該消臭除湿具１０が被覆されるようにしたり、ハンガー９に掛けて吊るした衣類を当該消臭除湿具１０によって被覆するようにしたりすることにより、当該ハンガー９に衣類を掛けて吊るすと、衣類の湿気、臭いを完全に除去することができることになる。
【００７０】
また、当該第２実施形態の消臭除湿具１０を定期的に天日に晒すことにより、消臭除湿具１０を常に初期の機能を発揮する状態に維持することができるので、繰り返し使用が可能であり、衣類を適切な状態に保管することができる。
【００７１】
【発明の効果】
本発明の消臭除湿具は、ハンガーに対して垂下状態に取り付けられ、ハンガーに掛けて吊るした衣類によって被覆されるようにしたり、ハンガーに掛けて吊るした衣類を被覆するようにすると、人体から衣類に吸収された汗等の水分を区画室内の除湿剤が吸収して除湿機能を発揮し、衣類に染み込んだ汗等の水分に含まれる臭いを区画室内の消臭剤が吸収して消臭機能を発揮するので、目的の消臭効果および除湿効果を得ることができ、衣類の消臭・除湿用として有効である。また、水分、臭いを吸収した消臭除湿具は、天日に晒すことで、除湿剤に吸収された水分が蒸発して除湿剤が初期の乾燥状態に戻るとともに、消臭剤に吸収された臭いが太陽光を媒体として分解されて除去されるので、再び繰り返して使用することができる。
【００７２】
本発明の消臭除湿具は、ハンガーに対して垂下状態に取り付けられた際に、積層シートにおいてハンガーの肩部に一致するように配置されている接合部によってその垂下状態の安定性が得られるようになっているので、ハンガーに対して安定した垂下状態に確実に取り付けることができ、ハンガーに取り付けられた消臭除湿具がハンガーからズレ落ちてしまうといった心配がない。
【００７３】
そして本発明の消臭除湿具は、ハンガーのフック部を挿通させるために設けられている開放部により、当該消臭除湿具のハンガーへの取り付け作業を比較的簡単に行うことができることになるので、ハンガーに対して消臭除湿具を取り付けるにあたって極めて便利である。
【００７４】
また本発明の消臭除湿具は、区画室内に収容される消臭剤および除湿剤が粒状物の集合であり、各粒状物と隣接する他の粒状物とが通気可能な間隙を確保する形状を呈しているので、消臭剤および除湿剤の通気に触れる表面積が広くなっているので、消臭機能並びに除湿機能の発揮に最適である。
【００７５】
さらに本発明の消臭除湿具は、前記消臭剤として酸化亜鉛および酸化チタンを採用することで、酸化亜鉛が臭いを吸収するとともに、酸化チタンが光により臭いを分解するようになっているので、良好な消臭効果を得ることができる。同時に前記除湿剤としてシリカゲルを採用することで、シリカゲルが水分を吸収するようになっているので、良好な除湿効果を得ることができる。
【００７６】
さらにまた本発明の消臭除湿具は、少なくとも何れか一つの区画室においてその表面の一部に設けられているインジケータが、その区画室の湿度に応じて色を変化させるようになっているので、インジケータの色を監視することにより、区画室内のシリカゲルの吸水状態を把握することが可能であり、消臭効果および除湿効果といった一定の効果が常に得られるように維持し、管理することができる。
【００７７】
そしてまた、当該消臭除湿具がハンガーに掛けて吊るした衣類によって被覆されることで衣類の内側から消臭機能および除湿機能が発揮され、衣類の内側において良好な消臭・除湿効果を得ることができる。特に、ハンガーに衣類を掛けて吊るした際に、衣類の内側脇部に入り込むように形成されていることで、衣類の内側脇部に対する消臭機能および除湿機能が効率よく発揮され、衣類の内側脇部においてきわめて良好な消臭・除湿の効果を得ることができる。
【００７８】
そしてさらに、当該消臭除湿具がハンガーに掛けて吊るした衣類を被覆することで、衣類の外側から消臭機能および除湿機能が発揮され、衣類の外側において良好な消臭・除湿効果を得ることができる。
【図面の簡単な説明】
【図１】本発明の実施形態を示す正面図である。
【図２】図１の平面図である。
【図３】図１の右側面図である。
【図４】図１のＡ−Ａ線に沿う消臭除湿具の断面図である。
【図５】図１のＢ−Ｂ線に沿う消臭除湿具の断面図である。
【図６】本発明の他の実施形態を示す正面図である。
【図７】図６の平面図である。
【図８】図６の右側面図である。
【図９】図６の背面図である。
【図１０】図６のＣ−Ｃ線に沿う消臭除湿具の断面図である。
【図１１】図６のＤ−Ｄ線に沿う消臭除湿具の断面図である。
【図１２】図６のＥ−Ｅ線に沿う消臭除湿具の断面図である。
【図１３】図６の製造方法を示す消臭除湿具の展開図である。
【符号の説明】
９……ハンガー
９ａ……肩部
９ｂ……フック部
１０……消臭除湿具
１１……積層シート
１１ａ……シート基材
１２……接合部
１２ａ……継目部
１２ｂ……切開部
１３……区画室
１４……消臭剤
１５……除湿剤
１６……開放部
１７……インジケータ
１８……切断線
【図１】
0004841723.tif 000002
【図２】
0004841723.tif 000003
【図３】
0004841723.tif 000004
【図４】
0004841723.tif 000005
【図５】
0004841723.tif 000006
【図６】
0004841723.tif 000007
【図７】
0004841723.tif 000008
【図８】
0004841723.tif 000009
【図９】
0004841723.tif 000010
【図１０】
0004841723.tif 000011
【図１１】
0004841723.tif 000012
【図１２】
0004841723.tif 000013
【図１３】
0004841723.tif 000014